(57)【要約】【課題】水路の流量制御に供するにあたり、小流量に対して流量制御を容易に行える制水扉を提供する。【解決手段】水路に設置され、下部に四角形状の呑口が形成された戸当り３と、戸当り３に昇降自在に取り付けられ呑口を開閉する扉体４と、扉体４に取り付けられる扉体止水板と、戸当り３に取り付けられ、扉体４が下降したときに扉体止水板と密着して呑口周りを止水する戸当り止水板６と、を備えた制水扉１において、戸当り止水板６はその側部が、呑口における通水断面を幅方向に狭めるように呑口の内側まで延設されて、幅狭の開口部１２を有する。開口部１２の幅寸法は例えば上部１２Ｂの方が下部１２Ａよりも大きく形成される。【選択図】図１
2012136871.tif 000002
【特許請求の範囲】
【請求項１】
水路に設置され、下部に四角形状の呑口が形成された戸当りと、
前記戸当りに昇降自在に取り付けられ前記呑口を開閉する扉体と、
前記扉体に取り付けられる扉体止水板と、
前記戸当りに取り付けられ、前記扉体が下降したときに前記扉体止水板と密着して前記呑口周りを止水する戸当り止水板と、
を備えた制水扉において、
前記戸当り止水板はその側部が、前記呑口における通水断面を幅方向に狭めるように前記呑口の内側まで延設されていることを特徴とする制水扉。
【請求項２】
前記呑口における通水断面において上部の方が下部よりも幅広となるように、前記戸当り止水板の開口部の幅寸法は上部の方が下部よりも大きく形成されていることを特徴とする請求項１に記載の制水扉。
【請求項３】
前記戸当り止水板の開口部は、上部においては下方に向かうにしたがい漸次幅寸法が小さくなり、下部においては一定の幅寸法に形成されていることを特徴とする請求項２に記載の制水扉。
【請求項４】
前記扉体の昇降をガイドするローラが前記戸当りに回転自在に設けられ、
前記ローラは、前記扉体の中間開度位置において、前記扉体止水板が前記戸当り止水板に密着するように前記扉体を押し付けることを特徴とする請求項１ないし請求項３のいずれか一項に記載の制水扉。
【発明の詳細な説明】
【技術分野】
【０００１】
本発明は、水路に設置される制水扉に関するものである。
【背景技術】
【０００２】
水路に設置され、下部に四角形の呑口が形成された戸当りと、戸当りに昇降自在に取り付けられ呑口を開閉する扉体と、扉体に取り付けられる扉体止水板と、戸当りに着脱自在に取り付けられ、扉体が下降したときに扉体止水板と密着して呑口周りを止水する戸当り止水板と、を備えた制水扉の一従来例として特許文献１に記載のものが挙げられる。戸当り止水板は、呑口の周縁に沿うロの字形状を呈している。
【０００３】
一般にこの種の制水扉は水路を単に開放状態にするか完全な閉止状態にするかのどちらかにすることを目的として設けられ、通常時は扉体を上げて呑口を全開状態にして水路を開放しておくことが多い。水路を閉止するのは下流側で工事を行う場合等であり、このときには扉体を下げて呑口を全閉状態にする。
【先行技術文献】
【特許文献】
【０００４】
【特許文献１】特開２００１−３５５２２３号公報
【発明の概要】
【発明が解決しようとする課題】
【０００５】
流量制御を目的として制水扉を使用することを考えた場合、従来の制水扉では流量を微調整しづらいという問題がある。すなわち、従来の制水扉における戸当りの呑口は大きな幅寸法を有していることから、扉体の昇降距離に対する流量の増減の割合が大きい。よって、水路の水位が低い場合など小流量に対して流量制御することは困難であった。
【０００６】
本発明はこのような問題を解決するために創作されたものであり、水路の流量制御に供するにあたり、小流量に対して流量制御を容易に行える制水扉を提供することを目的としている。
【課題を解決するための手段】
【０００７】
前記課題を解決するため、本発明は、水路に設置され、下部に四角形状の呑口が形成された戸当りと、前記戸当りに昇降自在に取り付けられ前記呑口を開閉する扉体と、前記扉体に取り付けられる扉体止水板と、前記戸当りに取り付けられ、前記扉体が下降したときに前記扉体止水板と密着して前記呑口周りを止水する戸当り止水板と、を備えた制水扉において、前記戸当り止水板はその側部が、前記呑口における通水断面を幅方向に狭めるように前記呑口の内側まで延設されていることを特徴とする。
【０００８】
当該制水扉によれば、戸当り止水板により通水断面の幅寸法が狭められるため、扉体の昇降距離に対する流量の増減の割合が小さくなり、小流量の流量調整が容易になる。戸当り止水板の製作は容易であることから、通水断面の幅寸法を小さくするにあたり安価で済み、また、既設の制水扉への対応も容易となる。
【０００９】
また、本発明に係る制水扉は、前記呑口における通水断面において上部の方が下部よりも幅広となるように、前記戸当り止水板の開口部の幅寸法は上部の方が下部よりも大きく形成されていることを特徴とする。
【００１０】
当該制水扉によれば、戸当り止水板の開口部において上部の幅寸法を大きくとることにより、異常増水時等において、扉体を全開にして水を大量に流すことができる。
【００１１】
また、本発明に係る制水扉は、前記戸当り止水板の開口部は、上部においては下方に向かうにしたがい漸次幅寸法が小さくなり、下部においては一定の幅寸法に形成されていることを特徴とする。
【００１２】
当該制水扉によれば、開口部の上部を下方に向かうにしたがい漸次幅寸法が小さくなるように形成することで、扉体の下縁が開口部の上部における下方寄りに位置している場合には、扉体の昇降距離に対する流量の増減の割合を小さくできる。
【００１３】
また、本発明に係る制水扉は、前記扉体の昇降をガイドするローラが前記戸当りに回転自在に設けられ、前記ローラは、前記扉体の中間開度位置において、前記扉体止水板が前記戸当り止水板に密着するように前記扉体を押し付けることを特徴とする。
【００１４】
当該制水扉によれば、簡単な構造で、扉体の中間開度位置において呑口周りの止水性を高めることができる。
【発明の効果】
【００１５】
本発明によれば、制水扉を水路の流量制御として使用するにあたり、小流量に対して流量制御を容易に行える。
【図面の簡単な説明】
【００１６】
【図１】本発明に係る制水扉の正面図であり、（ａ）、（ｂ）はそれぞれ扉体の全閉状態、全開状態を示す。
【図２】本発明に係る制水扉の側断面図である。
【図３】図１におけるＡ−Ａ断面図である。
【図４】本発明の戸当り止水板の単品の正面図であり、（ａ）は図１に示した戸当り止水板を示し、（ｂ）〜（ｄ）は変形例を示す。
【図５】従来の戸当り止水板の単品の正面図である。
【発明を実施するための形態】
【００１７】
図１ないし図３において、本発明に係る制水扉１は、水路に設置され、下部に四角形状の呑口２（図２、図３）が形成された戸当り３と、戸当り３に昇降自在に取り付けられ呑口２を開閉する扉体４と、扉体４に取り付けられる扉体止水板５（図２、図３）と、戸当り３に取り付けられ、扉体４が下降したときに扉体止水板５と密着して呑口２周りを止水する戸当り止水板６と、を備える。設置対象の水路としては、上下水道の水路や灌漑用水路、工業用水路等である。
【００１８】
戸当り３には左右一対の縦枠部７が形成されている。扉体４は縦枠部７に両側がガイドされる態様で、上方に配した図示しない開閉機により連結棒８を介して昇降する。扉体止水板５は扉体４の後面（下流側の面）にねじによる締結方式、接着剤や両面テープを用いた貼着方式等により取り付けられ、戸当り止水板６は戸当り３の前面（上流側の面）にねじによる締結方式、接着剤や両面テープを用いた貼着方式等により取り付けられている。戸当り３および扉体４は例えば鋳鉄材の鋳物からなる。扉体止水板５は例えばステンレス鋼材からなり、戸当り止水板６は例えばステンレス鋼材より軟質な青銅からなる。
【００１９】
戸当り３の縦枠部７の前面には押え板９を介して傾斜面を有する楔型固着具１０が取り付けられ、扉体４の前記楔型固着具１０に対応する位置には楔型部材１１が取り付けられている。この楔型部材１１と楔型固着具１０とは、扉体４が下降したときに相互の傾斜面が摺接し、扉体４を後側に押し遣る。そして、扉体４が完全に下降し終えたとき、扉体４が戸当り３に押さえ付けられ、扉体止水板５と戸当り止水板６とが密着して呑口２周りの止水性（水密性）が保持される。以上までの構造は従来の制水扉の構造と同じである。
【００２０】
本発明に係る制水扉１は、戸当り止水板６の側部が、呑口２における通水断面を幅方向に狭めるように呑口２の内側まで延設されていることを主な特徴とする。従来の戸当り止水板５４は図５に示すようにロの字形状を呈しており、呑口２の内側に出ることなく呑口２の周縁に沿うように設けられているため、呑口２の幅寸法がそのまま通水断面の幅寸法となる。これに対し本発明では、呑口２の幅寸法よりも小さい戸当り止水板６の開口部１２の幅寸法が通水断面の幅寸法となる。
【００２１】
図１に示す戸当り止水板６は、呑口２における通水断面において上部の方が下部よりも幅広となるように、開口部１２の幅寸法は上部１２Ｂの方が下部１２Ａよりも大きく形成されている。具体的には、上部１２Ｂにおいては下方に向かうにしたがい漸次幅寸法が小さくなるように形成され、下部１２Ａにおいては一定の幅寸法に形成されており、開口部１２は全体として漏斗形状を呈している。図４（ａ）は図１に示した戸当り止水板６の単品の正面図である。
【００２２】
本発明によれば、呑口２の幅寸法よりも小さい戸当り止水板６の開口部１２の幅寸法が通水断面の幅寸法となるため、扉体４の昇降距離に対する流量の増減の割合が小さくなり、水路の水位が低い場合など小流量に対して流量の微調整を容易に行える。
【００２３】
前記したように戸当り３は一般に鋳物であるため、呑口２自体の幅寸法を小さい仕様にしようとすると鋳物の金型から新たに起こさなければならないが、戸当り止水板６の開口部１２により呑口２における通水断面の幅寸法を小さくする本発明によれば、戸当り止水板６の製作は容易であることから、通水断面の幅寸法を小さくするにあたり安価で済む。
【００２４】
ここで、上部１２Ｂの幅寸法を下部１２Ａのそれよりも大きくした理由は、主に、下水路における大雨の突発的な増水時等において、水を大量に流すための異常増水に対する措置のためである。ただしその場合でも、下方に向かうにしたがい漸次幅寸法が小さくなるように上部１２Ｂを形成することで、扉体４の下縁が上部１２Ｂにおいて下方寄りに位置するにしたがい、扉体４の昇降距離に対する流量の増減の割合を小さくできる。
【００２５】
図４（ｂ）〜（ｄ）は戸当り止水板６の開口部１２の変形例を示す図である。図４（ｂ）は開口部１２の全高さにわたり、下方に向かうにしたがい漸次開口部１２の幅寸法が小さくなるように形成した例を示している。図４（ｃ）は開口部１２を一定の幅寸法の下部１２Ａと、下部１２Ａよりも広い一定の幅寸法の上部１２Ｂとから形成した例を示している。これら図４（ｂ）、（ｃ）に示す変形例と図４（ａ）の例はいずれも、「呑口２における通水断面において上部の方が下部よりも幅広となるように、戸当り止水板６の開口部１２の幅寸法は上部の方が下部よりも大きく形成されている」構成の例である。これらは前記したように異常増水時において水を大量に流したい場合に有効である。
【００２６】
一方、図４（ｄ）は開口部１２を全高さにわたり一定の幅寸法に形成した場合を示しており、異常増水のおそれがない水路に好適である。
このように、戸当り止水板６は、流量特性に合わせた通水断面形状に容易に変更することができる。
【００２７】
次に、扉体４が中間開度位置にあるときに扉体止水板５と戸当り止水板６との止水性を高める構造について説明する。図３において、扉体４の昇降をガイドするローラ１５が戸当り３に回転自在に設けられる。具体的には、ローラ１５は、戸当り３と一体の押え板９に設けられている。押え板９の上流面側に固設したブラケット１３には水路幅方向に沿う支軸１４が取り付けられ、この支軸１４にローラ１５が回転自在に枢支されている。ローラ１５は押え板９の切欠き部１６を通って、扉体４の側部に貼着された摺接板１７に押圧力を伴って接している。このローラ１５は、図１に示すように、戸当り３の左右の縦枠部７にそれぞれ上下方向に適宜間隔をおいて複数設けられる。
【００２８】
この構造によれば、扉体４の中間開度位置において、ローラ１５は、扉体止水板５が戸当り止水板６に密着するように扉体４を押し付けることとなる。したがって、扉体４の中間開度位置において呑口２周りの止水性が高められる。ローラ１５の材質は例えばステンレスであり、摺接板１７の材質は例えば真鍮である。
【００２９】
以上、本発明の好適な実施形態を説明したが、本発明は図面に記載したものに限定されることなく、その趣旨を逸脱しない範囲で様々な設計変更が可能である。
【符号の説明】
【００３０】
１      制水扉
２      呑口
３      戸当り
４      扉体
５      扉体止水板
６      戸当り止水板
１２      開口部
１５      ローラ
【図１】
2012136871.tif 000003
【図２】
2012136871.tif 000004
【図３】
2012136871.tif 000005
【図４】
2012136871.tif 000006
【図５】
2012136871.tif 000007